(57)【要約】【課題】表示素子の寄生容量に陽極からのプリチャージ動作または陰極からの逆バイアス電圧を利用した充電を実行する場合において、輝度傾斜の発生を抑制することができる表示装置を提供すること。【解決手段】複数の陽極線Ａ１〜Ａｍと複数の陰極線Ｋ１〜Ｋｎとの各交点位置に表示素子Ｅ１１〜Ｅｍｎが配置された表示パネル１と、前記各陰極線に接続されて選択的に前記各陰極線の走査を実行する陰極線走査回路３と、前記各表示素子に点灯駆動電流を供給する陽極線駆動回路２が具備される。前記陽極線駆動回路２には、各陽極線Ａ１〜Ａｍに対して定電流を供給する定電流源Ｉ１〜Ｉｍの他に、各陽極線Ａ１〜Ａｍに対してプリチャージ用の定電圧を供給する定電圧供給手段とが備えられる。前記定電圧供給手段、各陽極線毎に異なった値の定電圧が供給されるように設定されている。【選択図】図４
2008233717.tif 000002
【特許請求の範囲】
【請求項１】
表示装置の陽極入力端子に対してそれぞれ駆動電力を供給するための複数の陽極出力端子と、
各々が前記陽極出力端子に対応して接続され、当該陽極出力端子に定電流を供給する複数の定電流源と、
前記複数の陽極出力端子に接続され、当該陽極出力端子にそれぞれ定電圧を供給する定電圧供給手段とが備えられ、
前記定電圧供給手段により前記各陽極出力端子に供給される定電圧値が、各陽極出力端子毎に異なるように設定されていることを特徴とする表示装置の駆動回路。
【請求項２】
前記定電圧供給手段には、各陽極出力端子毎に異なる定電圧値を生成する抵抗素子と、前記抵抗素子により生成された異なる定電圧値を前記陽極出力端子に選択的に供給する複数のアナログスイッチが具備されていることを特徴とする請求項１に記載された表示装置の駆動回路。
【請求項３】
前記各陽極出力端子が前記表示装置の各陽極入力端子に対応して一列状態に配列され、前記陽極出力端子の配列順序にしたがって、各陽極出力端子から出力される定電圧値が、段階的に変化するように設定されていることを特徴とする請求項２に記載された表示装置の駆動回路。
【請求項４】
前記表示装置に配列された各表示素子の両端電圧をリセットするリセット動作のタイミングにおいて、前記各アナログスイッチを介して異なる値の前記定電圧を各陽極出力端子に出力するように構成したことを特徴とする請求項３に記載された表示装置の駆動回路。
【請求項５】
前記表示装置に配列された各表示素子に対してプリチャージ電圧を印加するプリチャージ動作のタイミングにおいて、前記各アナログスイッチを介して異なる値の前記定電圧を各陽極出力端子に出力するように構成したことを特徴とする請求項３に記載された表示装置の駆動回路。
【請求項６】
前記定電圧供給手段は、前記表示装置における表示画像の明暗を制御するディマー情報に応じて前記各定電圧値が可変されるように構成されていることを特徴とする請求項３ないし請求項５のいずれか１項に記載された表示装置の駆動回路。
【請求項７】
複数の陽極線および複数の陰極線の各交差位置に容量性の表示素子が配置された表示パネルと、前記各陽極線を介して前記各表示素子に駆動電流と定電圧とを選択的に供給する陽極線駆動回路と、前記各陰極線に接続されて選択的に前記各陰極走査線に走査信号を印加する陰極線走査回路とが備えられ、
前記複数の陽極線にそれぞれ供給される前記定電圧値が、それぞれ異なるように設定されていることを特徴とする表示装置。
【請求項８】
前記複数の陽極線に供給される前記定電圧値は、前記陰極線走査回路から前記陰極線を介した各陽極線の交点までの前記陰極線の線長に応じて設定されていることを特徴とする請求項７に記載された表示装置。
【請求項９】
前記表示パネルに配列された各表示素子の両端電圧をリセットするリセット動作のタイミングにおいて、および／または前記表示パネルに配列された各表示素子に対してプリチャージ電圧を印加するプリチャージ動作のタイミングにおいて、前記各陽極線を介して前記各表示素子に定電圧が供給されることを特徴とする請求項８に記載された表示装置。
【請求項１０】
前記表示パネルにおける表示画像の明暗を制御するディマー情報に応じて、前記各定電圧値が可変されるように構成されていることを特徴とする請求項８または請求項９に記載された表示装置。
【発明の詳細な説明】
【技術分野】
【０００１】
この発明は、例えば有機ＥＬ（エレクトロ・ルミネッセンス）素子などの容量性の発光素子を表示画素として用いた表示装置および駆動回路に関する。
【背景技術】
【０００２】
携帯電話機や携帯型情報端末機（ＰＤＡ）などの普及によって、高精細な画像表示機能を有し、薄型かつ低消費電力化を実現することができる表示パネルの需要が増大しており、従来より液晶表示パネルがその要求を満たす表示パネルとして多くの製品に採用されてきた。
【０００３】
一方、昨今においては自発光型素子であるという特質を生かした有機ＥＬ素子が実用化され、これが従来の液晶表示パネルに代わる次世代の表示パネルとして注目されている。これは素子の発光層に、良好な発光特性を期待することができる有機化合物を使用することによって、実用に耐え得る高効率化および長寿命化が進んだことも背景にある。
【０００４】
前記した有機ＥＬ素子は、基本的にはガラス等の透明基板上に、例えばＩＴＯによる透明電極と発光機能層、およびアルミ合金などによる金属電極（陰極）とが順次積層されることで構成されている。そして、一般的には前記透明電極を陽極とし、金属電極を陰極として駆動電圧を印加する構成にされている。
【０００５】
前記発光機能層は有機化合物による単一の発光層、あるいは有機正孔輸送層と発光層による二層構造、または有機正孔輸送層と発光層および有機電子輸送層からなる三層構造、さらには前記透明電極と正孔輸送層との間に正孔注入層を、また前記金属電極と電子輸送層との間に電子注入層を挿入した多層構造になされる場合もある。そして、前記発光機能層において発生する光は、前記透明電極および透明基板を介して外部に導出される。
【０００６】
前記した有機ＥＬ素子は、電気的にはダイオード特性を有する発光エレメントと、この発光エレメントに並列に結合する寄生容量成分とによる構成に置き換えることができ、有機ＥＬ素子は容量性の発光素子であるということが言える。この有機ＥＬ素子は、発光駆動電圧が印加されると、先ず当該素子の電気容量に相当する電荷が電極に変位電流として流れ込み蓄積される。続いて当該素子固有の一定の電圧（発光閾値電圧＝Ｖｔｈ）を越えると、一方の電極（ダイオード成分のアノード側）から発光機能層に向かって電流が流れはじめ、この電流に比例した強度で発光すると考えることができる。
【０００７】
一方、有機ＥＬ素子は電流・輝度特性が温度変化に対して安定しているのに対して、電圧・輝度特性が温度に対する依存性が高いこと、また、有機ＥＬ素子は過電流を受けた場合に劣化が激しく、発光寿命を短縮させるなどの理由により、一般的には定電流駆動がなされる。かかる有機ＥＬ素子を用いた表示パネルとして、素子をマトリクス状に配列したパッシブ駆動型表示パネルが、すでに一部において実用化されている。
【０００８】
図１には従来のパッシブマトリクス型表示パネルと、その駆動回路の一例が示されており、これは陰極線走査・陽極線ドライブの形態を示している。すなわち、ｍ本のデータ線（以下、これを陽極線とも言う。）Ａ１〜Ａｍが縦方向に配列され、ｎ本の走査線（以下、これを陰極線とも言う。）Ｋ１〜Ｋｎが横方向に配列され、各々の交差した部分（計ｍ×ｎ箇所）に、ダイオードおよびコンデンサのシンボルマークによる並列結合体で示した表示素子としての有機ＥＬ素子Ｅ１１〜Ｅｍｎが配置されて、表示パネル１を構成している。
【０００９】
そして、画素を構成する各ＥＬ素子Ｅ１１〜Ｅｍｎは、縦方向に沿う陽極線Ａ１〜Ａｍと横方向に沿う陰極線Ｋ１〜Ｋｎとの各交点位置に対応して、一端（ＥＬ素子の等価ダイオードにおけるアノード端子）が陽極線に、他端（ＥＬ素子の等価ダイオードにおけるカソード端子）が陰極線に接続されている。さらに、各陽極線Ａ１〜Ａｍはデータドライバとしての陽極線駆動回路２に接続され、各陰極線Ｋ１〜Ｋｎは走査ドライバとしての陰極線走査回路３に接続されてそれぞれ駆動される。
【００１０】
前記陽極線駆動回路２には、駆動電圧源ＶＨからの供給電圧を利用して動作する定電流源Ｉ１〜ＩｍおよびドライブスイッチＳａ１〜Ｓａｍが備えられており、ドライブスイッチＳａ１〜Ｓａｍが、前記定電流源Ｉ１〜Ｉｍ側に接続されることにより、定電流源Ｉ１〜Ｉｍからの電流が、陰極線に対応して配置された個々のＥＬ素子Ｅ１１〜Ｅｍｎ対して供給されるように作用する。また前記ドライブスイッチＳａ１〜Ｓａｍは、定電流源Ｉ１〜Ｉｍからの電流を個々のＥＬ素子に供給しない場合には、当該陽極線を回路の基準電位点としてのグランド側に接続できるように構成されている。
【００１１】
一方、走査ドライバとして機能する前記陰極線走査回路３には、各陰極線Ｋ１〜Ｋｎに対応して走査スイッチＳｋ１〜Ｓｋｎが備えられ、非走査選択電位として機能する逆バイアス電圧源ＶＭからの逆バイアス電圧ＶＭ、もしくは走査選択電位として機能する基準電位点としてのグランド電位ＧＮＤのうちのいずれか一方を、対応する陰極線に供給することができるように構成されている。
【００１２】
そして、前記した陽極線駆動回路２および陰極線走査回路３には、ＣＰＵ等を含む図示せぬ発光制御回路よりコントロールバスを介してそれぞれに制御信号が供給され、表示すべき映像信号に基づいて、前記走査スイッチＳｋ１〜ＳｋｎおよびドライブスイッチＳａ１〜Ｓａｍの切り換え操作がなされる。
【００１３】
これにより、映像信号に基づいて陰極線を所定の周期でグランド電位ＧＮＤに設定しながら所望の陽極線に対して定電流源Ｉ１〜Ｉｍが接続され、前記各ＥＬ素子Ｅ１１〜Ｅｍｎは選択的に発光される。したがって、表示パネル１上には前記映像信号に基づく画像があたかも連続して表示されているようになされる。
【００１４】
なお、図１に示す状態は、第１の陰極線Ｋ１がグランド電位ＧＮＤに設定されて走査状態になされ、この時、非走査状態の各陰極線Ｋ２〜Ｋｎには、前記した逆バイアス電圧源ＶＭからの逆バイアス電圧ＶＭが印加される。ここで、走査点灯状態におけるＥＬ素子の順方向電圧をＶｆとした時、〔（順方向電圧Ｖｆ）−（逆バイアス電圧ＶＭ）〕＜（発光閾値電圧Ｖｔｈ）の関係となるように各電位設定がなされており、したがってドライブされている陽極線と走査選択がなされていない陰極線との交点に接続された各ＥＬ素子がクロストーク発光するのを防止するように作用する。
【００１５】
ところで、表示パネル１に配列された各有機ＥＬ素子は前記したように個々に寄生容量を有しており、これが陽極線と陰極線との交点位置にマトリクス状に配列されているがため、例えば１つの陽極線に数十個のＥＬ素子が接続されている場合を例にすると、当該陽極線から見て各寄生容量の数百倍もしくはそれ以上の合成容量が負荷容量として陽極線に接続されることになる。この合成容量はマトリクスのサイズが大きくなるにしたがって顕著に増大する。
【００１６】
したがって、各走査ごとのＥＬ素子の点灯期間の初めにおいては、陽極線を介した前記定電流源Ｉ１〜Ｉｍからの電流は前記した合成負荷容量を充電するために費やされ、ＥＬ素子の発光閾値電圧（Ｖｔｈ）を十分に超えるまでに前記負荷容量を充電するには時間的遅れが発生する。それ故、ＥＬ素子の発光の立ち上がりが遅れる（緩慢になる）という問題が発生する。特に、前記したようにＥＬ素子の駆動源として定電流源Ｉ１〜Ｉｍを用いた場合においては、定電流源は動作原理上、ハイインピーダンス出力回路であるがため、電流が制限されてＥＬ素子の発光立ち上がりの遅れが著しくなる。
【００１７】
これは、ＥＬ素子の点灯時間率を低下させることとなり、したがってＥＬ素子の実質的な発光輝度を低下させるという問題を抱えることになる。そこで、前記した寄生容量によるＥＬ素子の発光立ち上がりの遅れを無くすために、点灯対象となるＥＬ素子に対して陽極から定電圧を印加することで、その寄生容量に対して電荷を充電するプリチャージ動作、および逆バイアス電圧ＶＭを利用して点灯対象となるＥＬ素子の寄生容量に対して電荷を充電するリセット動作等が実行される。
【００１８】
図２は前記したリセット動作を含むＥＬ素子の点灯駆動動作について、陽極線Ａ１に着目して各素子に流れる電流の状態を模式的に示したものである。すなわち、図２は第１の陰極線（第１走査ライン）Ｋ１に接続されたＥＬ素子Ｅ１１の点灯状態から、前記リセット動作を経て第２の陰極線（第２走査ライン）Ｋ２に接続されたＥＬ素子Ｅ１２が点灯される状態を示している。
【００１９】
図２（ａ）に示すように、ＥＬ素子Ｅ１１が点灯されている場合においては、ＥＬ素子Ｅ１１のカソードは第１走査ラインＫ１を介してグランド電位ＧＮＤに設定され、定電流源Ｉ１よりＥＬ素子Ｅ１１に対して駆動電流が供給される。この時、陽極線Ａ１に接続された他のＥＬ素子（コンデンサのシンボルマークで示す。）には逆バイアス電圧ＶＭが印加されている。
【００２０】
次の走査でＥＬ素子Ｅ１２を点灯させることになるが、ＥＬ素子Ｅ１２を点灯させる前に（ｂ）に示すように陽極線Ａ１はドライブスイッチＳａ１を介してグランド電位ＧＮＤに接続され、各走査スイッチＳＫ１〜ＳＫｎを介して全ての陰極線もグランド電位ＧＮＤに接続される。これにより各ＥＬ素子の寄生容量に蓄積された電荷を全て放電させるリセット動作が実行される。
【００２１】
次にＥＬ素子Ｅ１２を点灯させるために第２走査ラインＫ２が走査状態にされる。すなわち、第２走査ラインＫ２はグランド電位ＧＮＤに接続され、それ以外の走査ラインには逆バイアス電圧ＶＭが与えられる。なおこの時、ドライブスイッチＳａ１は定電流源Ｉ１側に切り替えられる。
【００２２】
前述したリセット動作時に各素子における寄生容量の電荷が放電しているため、この瞬間において（ｃ）に示すように、次に点灯される素子Ｅ１２以外の素子の寄生容量に対して矢印で示すように逆バイアス電圧ＶＭによる逆方向の充電がなされる。
【００２３】
これらに対する充電電流は陽極線Ａ１を介して、次に点灯されるＥＬ素子Ｅ１２に流入し、当該ＥＬ素子Ｅ１２の寄生容量を瞬時に充電する。この時、陽極線Ａ１に接続された定電流源Ｉ１は、前記したとおり基本的にはハイインピーダンス回路であり、この充電電流の動きには影響を与えない。その後、陽極線Ａ１に流れる定電流源Ｉ１からの駆動電流により、（ｄ）に示すようにＥＬ素子Ｅ１２が点灯状態になる。
【００２４】
図３は、一走査期間においてなされる前記したリセット期間を含むＥＬ素子の点灯駆動動作をタイミングチャートにより説明するものである。なお、図３（Ａ）は走査同期信号を示しており、この走査同期信号に同期して、リセット期間および点灯期間（定電流駆動期間＝ＣＣ）が設定される。
【００２５】
そして、図３（Ｂ）および（Ｃ）は、前記各期間における陽極線駆動回路２に接続された陽極線における点灯ラインおよび非点灯ラインに印加される電位を示している。また、図２（Ｄ）および（Ｅ）は、前記各期間における陰極線走査回路３に接続された陰極線における走査対象ラインおよび非走査対象ラインに印加される電位を示している。
【００２６】
図３に示すリセット期間においては、陽極線駆動回路２に備えられた前記ドライブスイッチＳａ１〜Ｓａｍは、点灯制御させるＥＬ素子に対応する陽極線（点灯ライン）、および非点灯になされるＥＬ素子に対応する陽極線（非点灯ライン）を、図３（Ｂ）および（Ｃ）に示すようにそれぞれグランド電位ＧＮＤに設定する。
【００２７】
一方、前記リセット期間における陰極線走査回路３は、これに備えられた走査スイッチＳｋ１〜Ｓｋｎによって、走査対象とする陰極線（走査対象ライン）および非走査対象とする陰極線（非走査対象ライン）を、図２（Ｄ）および（Ｅ）に示すようにそれぞれグランド電位ＧＮＤに設定する。
【００２８】
これにより、表示パネル１に配列された全てのＥＬ素子のアノードおよびカソードはグランド電位ＧＮＤに設定されて、各寄生容量に蓄積された電荷はゼロリセット（ＧＮＤ−ＧＮＤリセット）される。すなわち、すでに説明した図２（ｂ）に示した状態になされる。
【００２９】
これに続く、ＥＬ素子の点灯期間である定電流駆動期間においては、前記ドライブスイッチＳａ１〜Ｓａｍによって、点灯させるＥＬ素子に対応する陽極線（点灯ライン）には、図３（Ｂ）に示すように定電流源Ｉ１〜Ｉｍより定電流が供給される。また、非点灯になされるＥＬ素子に対応する陽極線（非点灯ライン）は、図３（Ｃ）に示すようにグランド電位ＧＮＤに設定される。
【００３０】
一方、前記点灯期間（定電流駆動期間）における陰極線走査回路３は、これに備えられた前記走査スイッチＳｋ１〜Ｓｋｎによって、走査対象とする陰極線（走査対象ライン）を図３（Ｄ）に示すように走査選択電位であるグランド電位ＧＮＤに設定し、非走査対象となる陰極線（非走査対象ライン）に対しては、図３（Ｅ）に示すように非走査選択電位である逆バイアス電圧ＶＭが印加されるように制御する。
【００３１】
これにより、有機ＥＬ素子の点灯期間（定電流駆動期間）への移行直後においては、図２（ｃ）に基づいて説明したとおり、点灯対象のＥＬ素子には逆バイアス電圧源ＶＭから、走査されていないＥＬ素子を介して過渡的に電流が流れ込み、点灯対象のＥＬ素子の寄生容量への充電が急速に行われ、点灯対象のＥＬ素子の発光の立上がりを迅速に行わせることができる。
【００３２】
すなわち、図３（Ｂ）において鎖線で示すＴ１は前記したリセット動作による寄生容量への充電効果の様子を示しており、実線Ｔ２は前記リセット動作が行われない場合のＥＬ素子の順方向電圧の立上がりの例を示している。
【００３３】
前記したように、リセット動作を実行して次に点灯駆動させようとするＥＬ素子に対して、非走査選択電位（逆バイアス電圧）を利用して急速に充電させるパッシブ駆動型表示装置は、本件出願人がすでに出願した次に示す特許文献１に開示されている。
【特許文献１】特許第３５０７２３９号公報
【００３４】
ところで、有機ＥＬ素子が点灯状態になされた図３に示す定電流駆動期間においては、点灯対象とされたＥＬ素子は、陰極線を介して走査選択電位、例えばグランド電位ＧＮＤに接続されるため、陰極線走査回路に近い陽極線に接続された素子と陰極線走査回路に遠い陽極線に接続された素子においては、陰極線の配線抵抗によりそのカソード電位にオフセットが生じることになる。
【００３５】
すなわち、前記陰極線走査回路に近い陽極線に接続された素子のカソード電位に対して、陰極線走査回路に遠い陽極線に接続された素子のカソード電位は上昇する。このために、前記と同様に陰極線走査回路に近い陽極線に接続された素子の輝度に対して、陰極線走査回路に遠い陽極線に接続された素子の輝度は暗く発光する輝度傾斜が発生することになる。
【００３６】
この場合の輝度傾斜は、素子のカソード電位が上昇することにより、陽極線に接続された定電流源の定電流特性が確保できなくなるために発生するものであり、前記した輝度傾斜が発生する問題を解消するために、陽極線側に接続された各定電流源のドライブ電圧に抵抗分圧した電圧を用いることが特許文献２に示されている。
【特許文献２】特開２００６−１６３２９３号公報
【発明の開示】
【発明が解決しようとする課題】
【００３７】
ところで、前記特許文献２に開示された発明は、ＥＬ素子が点灯状態になされた定電流駆動期間において発生する輝度傾斜に着目しているものであり、これに対してこの発明は後に詳細に説明するとおり、前記したリセット動作に伴う陰極からの逆バイアス電圧ＶＭを利用した素子の寄生容量への充電動作、および陽極から素子の寄生容量に充電するプリチャージ動作において発生する輝度傾斜に着目してなされたものである。
【００３８】
前記したリセット動作は、逆バイアス電圧ＶＭを利用して非走査状態となる各陰極線および非走査対象となる各陰極線に接続されたＥＬ素子の寄生容量を介して、点灯対象となるＥＬ素子の寄生容量に電荷の充電を行うものであるため、前記陰極線の配線抵抗の影響を受けて、点灯対象となるＥＬ素子への電荷の充電量に差が発生することになる。
【００３９】
すなわち、図１に示す陰極線走査回路３に近い例えば陽極線Ａ１に接続されたＥＬ素子に対する電荷の充電動作においては、陰極線の配線抵抗の影響が少なく、したがって充分な電荷の充電作用を果たすことができる。これに対して、陰極線走査回路３から遠い例えば陽極線Ａｍに接続されたＥＬ素子に対する電荷の充電動作においては、陰極線の配線抵抗の影響を受けて電荷の充電量は不十分となる。
【００４０】
したがって、陰極線走査回路に近い陽極線に接続された素子の輝度に対して、陰極線走査回路に遠い陽極線に接続された素子の輝度は暗く発光することになり、これによりいわゆる輝度傾斜が発生することになる。
【００４１】
一方、前記したように点灯対象となるＥＬ素子に対して陽極から定電圧を印加するプリチャージ動作においては、陰極の配線抵抗の影響で、陽極毎のプリチャージ量に差が生じ、これにより輝度傾斜が発生する。すなわち、図１に示す陰極線走査回路３に近い例えば陽極線Ａ１に接続されたＥＬ素子に対して陽極から定電圧による充電動作を行った場合には、陰極線の配線抵抗の影響が少なく、したがって充分な電荷の充電作用を果たすことができる。一方、陰極線走査回路３から遠い例えば陽極線Ａｍに接続されたＥＬ素子に対して陽極から定電圧による充電動作を行った場合には、陰極線の配線抵抗が直列に入ってこの配線抵抗の影響を受けるため、電荷の充電量は不十分となる。
【００４２】
これにより、陰極線走査回路に近い陽極線に接続された素子の輝度に対して、陰極線走査回路に遠い陽極線に接続された素子の輝度は暗く発光することになり、同様に輝度傾斜が発生することになる。
【００４３】
この発明は、前記した輝度傾斜の問題点に着目してなされたものであり、前記したリセット動作を伴う陰極からの逆バイアス電圧ＶＭを利用して点灯対象となるＥＬ素子の寄生容量に充電を行う動作、並びに点灯対象となるＥＬ素子に対して陽極側から定電圧を印加することで、その寄生容量に対して電荷を急速に充電する動作を実行する場合のそれぞれにおいて、前記輝度傾斜の発生を効果的に抑制することができる表示装置および駆動回路を提供することを課題とするものである。
【課題を解決するための手段】
【００４４】
前記した課題を解決するためになされたこの発明にかかる表示装置の駆動回路は、請求項１に記載のとおり、表示装置の陽極入力端子に対してそれぞれ駆動電力を供給するための複数の陽極出力端子と、各々が前記陽極出力端子に対応して接続され、当該陽極出力端子に定電流を供給する複数の定電流源と、前記複数の陽極出力端子に接続され、当該陽極出力端子にそれぞれ定電圧を供給する定電圧供給手段とが備えられ、前記定電圧供給手段により前記各陽極出力端子に供給される定電圧値が、各陽極出力端子毎に異なるように設定されている点に特徴を有する。
【００４５】
また、前記した課題を解決するためになされたこの発明にかかる表示装置は、請求項７に記載のとおり、複数の陽極線および複数の陰極線の各交差位置に容量性の表示素子が配置された表示パネルと、前記各陽極線を介して前記各表示素子に駆動電流と定電圧とを選択的に供給する陽極線駆動回路と、前記各陰極線に接続されて選択的に前記各陰極走査線に走査信号を印加する陰極線走査回路とが備えられ、前記複数の陽極線にそれぞれ供給される前記定電圧値が、それぞれ異なるように設定されている点に特徴を有する。
【発明を実施するための最良の形態】
【００４６】
以下、この発明にかかる表示装置および駆動回路について、図に示す実施の形態に基づいて説明する。図４はその第１の実施の形態を示したものであり、これは１走査期間ごとに走査対象となる各表示素子に対してプリチャージ電圧を印加する動作が実行される表示装置に対して好適に採用し得るものである。なお、以下に説明する各図においては、すでに説明した図１に示す各部に相当する部分を同一符号で示している。したがって、その詳細な説明は省略する。
【００４７】
図４に示す符号２は、この実施の形態における駆動回路としての陽極線駆動回路を示しており、この陽極線駆動回路２には表示装置としての表示パネル１に駆動電力を供給するための複数の陽極出力端子ｔ１〜ｔｍが備えられている。なお、前記端子ｔ１〜ｔｍは表示パネル１の陽極入力端子としての機能も兼ねており、端子ｔ１〜ｔｍに表示パネル１に配列された陽極線Ａ１〜Ａｍが接続されて、陽極線駆動回路２からの駆動電力が各表示素子としてのＥＬ素子Ｅ１１〜Ｅｍｎに供給されるように構成されている。
【００４８】
前記陽極線駆動回路２には駆動電圧源ＶＡＨからの供給電圧を利用して動作する定電流源Ｉ１〜Ｉｍが備えられており、これらの定電流源Ｉ１〜Ｉｍからの定電流は、前記端子ｔ１〜ｔｍを介して表示パネル１の各陽極線Ａ１〜Ａｍに供給されるように構成されている。また、前記各定電流源Ｉ１〜Ｉｍ等を含む陽極線駆動回路２は半導体チップ等の半導体集積回路により構成されており、チップの両側に配置された電源端子において前記駆動電圧源ＶＡＨを受けることにより、電圧の一定化（安定化）が図れるように構成されている。なお、陽極線駆動回路や陰極線走査回路は、表示素子が形成されている基板に形成されたＴＦＴで構成されていても良い。
【００４９】
一方、陽極線駆動回路２には図１に基づいて説明したドライブスイッチと同様の機能を果たす第１群のアナログスイッチＱ１ａ〜Ｑｍａおよび第２群のアナログスイッチＱ１ｂａ〜Ｑｍｂが前記定電流源Ｉ１〜Ｉｍに対応してそれぞれ備えられている。
【００５０】
前記第２群のアナログスイッチＱ１ｂ〜Ｑｍｂは、ｎ型ＭＯＳＦＥＴにより構成されており、これらの各ドレインは前記各定電流源Ｉ１〜Ｉｍの電流出力端、すなわち前記した陽極出力端子ｔ１〜ｔｍに接続されている。また、各ソースはグランド電位ＧＮＤに接続されている。なお、前記各ソースが接続されている電位はグランド電位ＧＮＤに限らず、前記定電流源Ｉ１〜Ｉｍを駆動する電圧源ＶＡＨの電圧値よりも遥かに低い電圧値であれば良い。
【００５１】
これにより、前記アナログスイッチＱ１ｂ〜Ｑｍｂがオン動作することにより、表示パネル１に配列された各ＥＬ素子は消灯状態になされる。なお、前記グランド電位ＧＮＤも、チップの両側に配置された電源端子においてこれを受けることにより、電圧の一定化（安定化）が図れるように構成されている。
【００５２】
また前記第１群のアナログスイッチＱ１ａ〜Ｑｍａは、ｐ型ＭＯＳＦＥＴにより構成されており、その各ドレインは前記した陽極出力端子ｔ１〜ｔｍに接続されている。また各アナログスイッチＱ１ａ〜Ｑｍａのソースにはそれぞれ電圧値の異なる定電圧が供給されるように構成されている。
【００５３】
すなわち、前記アナログスイッチＱ１ａ〜Ｑｍａの各ソースにはプリチャージ電圧源ＶＡＭに対して直列接続された抵抗素子Ｒ１〜Ｒｍの各分圧電圧が印加されるように構成されており、これによりアナログスイッチＱ１ａ〜Ｑｍａがオンされた場合、陽極出力端子ｔ１〜ｔｍから出力される定電圧値は、段階的に変化するようになされる。
【００５４】
すなわち、各陽極出力端子ｔ１〜ｔｍが前記表示パネル１の各陽極入力端子に対応して一列状態に配列され、前記陽極出力端子ｔ１〜ｔｍの配列順序にしたがって、各陽極出力端子から出力される定電圧値が、段階的に変化するように設定されている。
【００５５】
これにより、表示パネル１における陽極線Ａ１〜Ａｍに供給される前記定電圧値は、陰極線走査回路３より各陰極線Ｋ１〜Ｋｎを介した各陽極線の交点までの前記陰極線の線長に応じて設定される。すなわち、陰極線走査回路３に最も近い陽極線Ａ１に印加される定電圧値は最も低く、陰極線走査回路３から最も遠い陽極線Ａｍに印加される定電圧値は最も高くなるように設定される。
【００５６】
なお、前記プリチャージ電圧源ＶＡＭは可変電圧源を構成しており、これは表示パネル１における表示画像の明暗を制御するディマー情報に応じてその電圧値が可変されるように構成されている。この場合、表示画像を明るく表示するように設定した場合には、前記プリチャージ電圧源ＶＡＭの出力電圧値が高くなるように、また表示画像を暗く表示するように設定した場合には、前記プリチャージ電圧源ＶＡＭの出力電圧値が低くなるように設定される。
【００５７】
したがって、表示パネル１における各陽極線Ａ１〜Ａｍに供給される定電圧の値も、前記ディマー情報に応じて可変されることになる。なお、図４に示した実施の形態においては、前記プリチャージ電圧源ＶＡＭ、各抵抗素子Ｒ１〜Ｒｍ、第１群のアナログスイッチＱ１ａ〜Ｑｍａにより定電圧供給手段を構成している。
【００５８】
図５は、図４に示した回路構成によってなされる特にプリチャージ動作について説明するタイミングチャートである。なお図５の（Ａ）〜（Ｅ）は、すでに説明した図３に示した（Ａ）〜（Ｅ）にそれぞれ対応するものである。
【００５９】
図５に示すリセット期間においては、（Ｂ）に示す点灯ラインには、プリチャージ電圧源ＶＡＭからの出力が印加される。なお図５においてはこの時に印加される電圧値を便宜上ＶＡＭと標記しているが、これは前記したプリチャージ電圧源ＶＡＭからの出力電圧を直列抵抗Ｒ１〜Ｒｍにより分圧したものとなる。また、（Ｃ）に示す非点灯ラインにはグランド電位ＧＮＤが印加される。
【００６０】
この場合においては、図４に示す第１群のアナログスイッチＱ１ａ〜Ｑｍａのうち点灯ラインに対応するアナログスイッチがオン状態になされる。また図４に示す第２群のアナログスイッチＱ１ｂ〜Ｑｍｂのうち非点灯ラインに対応するアナログスイッチがオン状態になされる。
【００６１】
一方、このリセット期間においては、図５（Ｄ）および（Ｅ）に示すように走査対象ラインおよび非走査対象ラインには逆バイアス電圧ＶＭが印加される。すなわち、陰極線走査回路３における走査スイッチＳｋ１〜Ｓｋｎは全て逆バイアス電圧ＶＭ側に接続されている。したがって、点灯されるＥＬ素子の両端間には、前記ＶＡＭとＶＭとの差分の電圧が印加されている。
【００６２】
前記リセット期間に続くプリチャージ期間においては、図５（Ｂ）および（Ｃ）に示すように点灯ラインに対する印加電圧はＶＡＭで変わらず、また非点灯ラインに対する電位もグランド電位ＧＮＤになされて変わらない。すなわち、図４に示す第１群のアナログスイッチＱ１ａ〜Ｑｍａ、および第２群のアナログスイッチＱ１ｂ〜Ｑｍｂは、前記リセット期間と同様な状態を保持する。
【００６３】
一方、プリチャージ期間においては、図５（Ｄ）に示すように走査対象ラインはグランド電位ＧＮＤに設定され、非走査対象ラインの電位は（Ｅ）に示すように変わらない。すなわち、プリチャージ期間においては、走査対象ラインに対応する走査スイッチのみがグランド電位ＧＮＤを選択する。このために、走査対象となる点灯ラインに接続された次に点灯されるＥＬ素子には、順方向にプリチャージ電圧ＶＡＭが印加され、その寄生容量には急速に電荷が充電（プリチャージ）される。
【００６４】
この時、陰極線の配線抵抗により陰極線走査回路３に近い陽極線に接続された素子のカソード電位に対して、陰極線走査回路に遠い陽極線に接続された素子のカソード電位は上昇するが、陰極線走査回路に遠い陽極線に接続された素子に印加される定電圧値は、前記した抵抗素子Ｒ１〜Ｒｍの分圧作用によってより高い電圧に設定されている。これによりプリチャージ期間における各素子の寄生容量に対する電荷の蓄積量は略等しくなる。
【００６５】
前記プリチャージ期間の経過後は、第１群のアナログスイッチＱ１ａ〜Ｑｍａのうち点灯ラインに対応するアナログスイッチはオフ状態になされ、これにより点灯対象となるＥＬ素子には定電流回路Ｉ１〜Ｉｍより定電流が供給され、定電流駆動期間においてプリチャージされたＥＬ素子の点灯が継続する。
【００６６】
そして、定電流駆動期間の経過後においては第２群のアナログスイッチＱ１ｂ〜Ｑｍｂは、全てオン状態になされ、これにより表示パネル１に配列されたＥＬ素子は、全て消灯される。なお、前記Ｑ１ｂ〜Ｑｍｂはオープン（ハイインピーダンス）状態でも良い。
【００６７】
図４に示した構成によると、陰極線の配線抵抗により陰極線走査回路３に近い陽極線に接続された素子のカソード電位に対して、陰極線走査回路に遠い陽極線に接続された素子のカソード電位は上昇するが、陰極線走査回路３に遠い陽極線に接続された素子に対するプリチャージ期間に印加される定電圧値が高く、また陰極線走査回路３に近い陽極線に接続された素子に対するプリチャージ期間に印加される定電圧値が低く設定されるので、これによりプリチャージ期間における各素子の寄生容量に対する電荷の蓄積量は等しくなる。
【００６８】
したがって、前記した配線抵抗の影響によりプリチャージ期間での各素子の寄生容量に対して充電される電荷量の差による輝度傾斜の発生を効果的に抑制することができる。また、図４に示した構成によると、前記したようにディマー情報に応じてプリチャージ電圧源ＶＡＭの出力電圧値を可変するようにしているので、ディマーの設定変更に合わせて最適な電圧値を設定することが出来るようになり、ディマー設定が変更された場合にも輝度傾斜を効果的に抑制することが出来る。
【００６９】
次に図６は、この発明にかかる表示装置および駆動回路おける第２の実施の形態を示したものである。これは図４に示した例と同様に走査対象となる表示素子に対してプリチャージ電圧を印加する動作が実行される表示装置に関するものであり、特に陽極線の数が多い表示装置に対して好適に採用し得るものである。
【００７０】
この図６に示す基本構成は、すでに説明した図４に示した構成と同様であり、各部の符号は適宜省略して示している。この図６に示す例においては、陰極線の配線抵抗の影響を少なくするために陰極線走査回路を各陰極線の両端に配置した構成にされている。すなわち、陰極線走査回路は符号３Ａおよび３Ｂで示されており、この両者は共に同期して走査動作を実行するように構成されている。
【００７１】
これに加えて、定電圧供給手段を構成するプリチャージ電圧源ＶＡＭからの出力は、陽極線駆動回路２における中央部において供給され、その中央部から左右にそれぞれ直列接続された分圧抵抗の各接続部より分圧出力を得るようにしている。したがって、図６に示した構成によると、表示パネル１の中央部に配置された陽極線に印加されるプリチャージ電圧値が高く設定され、左右の陰極線走査回路３Ａ，３Ｂに近くなるにしたがって、陽極線に印加されるプリチャージ電圧値は順次が低くなるように設定される。
【００７２】
図６に示したように各陰極線の両端に陰極線走査回路３Ａ，３Ｂを配置した構成によると、陰極線の配線抵抗に起因する前記プリチャージ期間におけるＥＬ素子のカソード電位は、パネル１の中央部付近において高く、左右の陰極線走査回路３Ａ，３Ｂに近づくにしたがって低くなるが、前記したように表示パネル１の中央部に配置された陽極線に印加されるプリチャージ電圧値が高く設定され、左右の陰極線走査回路３Ａ，３Ｂに近くなるにしたがって、陽極線に印加されるプリチャージ電圧値は順次低くなるように設定されるため、プリチャージ期間において各素子の両端電位差は略等しくなり、各素子に充電される電荷量の差がなくなる。
【００７３】
図６に示した構成によると、前記した陰極線の配線抵抗に起因する輝度傾斜の発生を効果的に抑制することができる。また、定電圧供給手段を構成するプリチャージ電圧源ＶＡＭの出力電圧値を、図４に示した例と同様にディマー情報に応じて可変するように構成することで、ディマーの設定変更に合わせて最適な電圧値を設定することが出来るようになり、ディマー設定が変更された場合にも輝度傾斜を効果的に抑制することが出来る。
【００７４】
図７は、この発明にかかる表示装置および駆動回路おける第３の実施の形態を示したものであり、これは表示パネルに配列された各ＥＬ素子の両端電圧をリセットするリセット動作が実行され、逆バイアス電圧ＶＭを利用して点灯対象となるＥＬ素子の寄生容量に対して電荷を充電する表示装置に対して好適に採用し得るものである。
【００７５】
図７に示す符号２は、この実施の形態における駆動回路としての陽極線駆動回路を示しており、この陽極線駆動回路２には表示装置としての表示パネル１に駆動電力を供給するための複数の陽極出力端子ｔ１〜ｔｍが備えられている。なお、前記端子ｔ１〜ｔｍは表示パネル１の陽極入力端子としての機能も兼ねており、端子ｔ１〜ｔｍに表示パネル１に配列された陽極線Ａ１〜Ａｍが接続されて、陽極線駆動回路２からの駆動電力が各表示素子としてのＥＬ素子Ｅ１１〜Ｅｍｎに供給されるように構成されている。
【００７６】
前記陽極線駆動回路２には駆動電圧源ＶＡＨからの供給電圧を利用して動作する定電流源Ｉ１〜Ｉｍが備えられており、これらの定電流源Ｉ１〜Ｉｍからの定電流は、前記端子ｔ１〜ｔｍを介して表示パネル１の各陽極線Ａ１〜Ａｍに供給されるように構成されている。なお、前記各定電流源Ｉ１〜Ｉｍ等を含む陽極線駆動回路２は半導体チップ等の半導体集積回路により構成されており、チップの両側に配置された電源端子において前記駆動電圧源ＶＡＨを受けることにより、電圧の一定化（安定化）が図れるように構成されている。
【００７７】
一方、陽極線駆動回路２にはアナログスイッチＱ１〜Ｑｍが、前記定電流源Ｉ１〜Ｉｍに対応してそれぞれ備えられている。これらのアナログスイッチＱ１〜Ｑｍは、ｎ型ＭＯＳＦＥＴにより構成されており、これらの各ドレインは前記各定電流源Ｉ１〜Ｉｍの電流出力端、すなわち前記した陽極出力端子ｔ１〜ｔｍに接続されている。また、各アナログスイッチＱ１〜Ｑｍのソースにはそれぞれ電圧値の異なる定電圧が供給されるように構成されている。
【００７８】
すなわち、前記アナログスイッチＱ１〜Ｑｍの各ソースにはリセット電圧源ＶＡＬに対して直列接続された抵抗素子Ｒ１〜Ｒｍの各分圧電圧が印加されるように構成されており、これによりアナログスイッチＱ１〜Ｑｍがオンされた場合、陽極出力端子ｔ１〜ｔｍから出力される定電圧値が、段階的に変化するように設定されている。
【００７９】
すなわち、各陽極出力端子ｔ１〜ｔｍが前記表示パネル１の各陽極入力端子に対応して一列状態に配列され、前記陽極出力端子ｔ１〜ｔｍの配列順序にしたがって、各陽極出力端子から出力される定電圧値が、段階的に変化するように設定されている。
【００８０】
これにより、表示パネル１における陽極線Ａ１〜Ａｍに供給される前記定電圧値は、陰極線走査回路３より各陰極線Ｋ１〜Ｋｎを介した各陽極線の交点までの前記陰極線の線長に応じて設定される。すなわち、陰極線走査回路３に最も近い陽極線Ａ１に印加される定電圧値は最も低く、陰極線走査回路３から最も遠い陽極線Ａｍに印加される定電圧値は最も高くなるように設定される。
【００８１】
なお、前記リセット電圧源ＶＡＬは可変電圧源を構成しており、これは表示パネル１における表示画像の明暗を制御するディマー情報に応じてその電圧値が可変されるように構成されている。この場合、表示画像を明るく表示するように設定した場合には、前記リセット電圧源ＶＡＬの出力電圧値が高くなるように、また表示画像を暗く表示するように設定した場合には、前記リセット電圧源ＶＡＬの出力電圧値が低くなるように設定される。
【００８２】
したがって、表示パネル１における各陽極線Ａ１〜Ａｍに供給される定電圧の値も、前記ディマー情報に応じて可変されることになる。なお、図７に示した実施の形態においては、前記リセット電圧源ＶＡＬ、各抵抗素子Ｒ１〜Ｒｍ、アナログスイッチＱ１〜Ｑｍにより定電圧供給手段を構成している。
【００８３】
図８は、図７に示した回路構成によってなされる特にリセット動作について説明するタイミングチャートである。なお図８の（Ａ）〜（Ｅ）は、すでに説明した図３に示した（Ａ）〜（Ｅ）にそれぞれ対応するものであり、したがって各波形についての詳細な説明は省略する。
【００８４】
図８に示すリセット期間においては、前記アナログスイッチＱ１〜Ｑｍは全てオンになされる。また陰極線走査回路３における走査スイッチＳｋ１〜Ｓｋｎは全てグランド電位ＧＮＤ側に設定される。したがって、図８（Ｂ）に示す点灯ラインに対しては前記定電圧供給手段を構成する各抵抗素子Ｒ１〜Ｒｍの分圧出力が各陽極線に供給される。なお、図８においてはこの時に供給される電圧値を便宜上ＶＡＬと標記しているが、これは前記したリセット電圧源ＶＡＬからの出力電圧を直列抵抗Ｒ１〜Ｒｍにより分圧したものとなる。
【００８５】
この場合、陰極線走査回路３に近い陽極線には比較的低い定電圧が印加され、陰極線走査回路３から遠くなるにしたがって、その陽極線には高い値の定電圧が印加されることになる。すなわち、前記リセット期間においては陰極線走査回路３に近いＥＬ素子の両端間電圧は順方向に低い値に、また陰極線走査回路３から遠いＥＬ素子の両端間電圧は順方向に陰極線走査回路３に近いＥＬ素子の両端間電圧よりも高い値になされるリセット動作が実行される。これにより、リセット動作におけるリセット電圧（素子の順方向電圧値）に差がつけられる。
【００８６】
前記リセット期間に続く定電流駆動期間においては、走査対象となる陰極線には（Ｄ）で示すようにグランド電位ＧＮＤが設定され、走査非対象となる陰極線には（Ｅ）で示すように逆バイアス電圧源ＶＭからの逆バイアス電圧ＶＭが印加される。一方、点灯対象となる陽極線に対応する前記アナログスイッチＱ１〜Ｑｍは選択的にオフされる。これにより走査非対象の陰極線およびこれに接続されたＥＬ素子（寄生容量）を介して、点灯対象とされるＥＬ素子に対して充電電流が供給される。すなわち、図２に基づいて説明した（ｃ）に示す状態になされる。
【００８７】
この時、走査非対象のＥＬ素子には、前記陰極線走査回路３からの距離に応じて段階的に異なる所定のリセット電圧が順方向に蓄積されており、したがって図８に示した定電流駆動期間における初期の立上がり期間においては、逆バイアス電圧ＶＭに前記リセット電圧が加わった状態で、点灯対象となるＥＬ素子に充電電流が流れる。一方、点灯対象となるＥＬ素子には、前記リセット電圧が蓄積されており、これにより点灯対象となるＥＬ素子は即座に点灯状態になされる。
【００８８】
そして、定電流駆動期間の経過により、前記アナログスイッチＱ１〜Ｑｍは、全てオン状態になされ、これにより定電流源Ｉ１〜Ｉｍからの定電流は前記アナログスイッチＱ１〜Ｑｍ側に吸い込まれ、表示パネル１に配列されたＥＬ素子は、全て消灯される。この場合、前記Ｑ１〜Ｑｍがオープン（ハイインピーダンス）の状態に設定しても良い。
【００８９】
ところで前記したリセット動作を伴う逆バイアス電圧ＶＭを利用したＥＬ素子への充電動作においては、すでに説明したように、陰極線の配線抵抗の影響を受けて陰極線走査回路３から遠い陽極線に接続されたＥＬ素子に対する電荷の充電動作が不十分になり、これによ輝度傾斜が発生することになる。
【００９０】
しかしながら、図７および図８に示した構成および作用によると、すでに説明したように素子のリセット電圧に差をもたせ、陰極線走査回路３から遠い陽極線に接続されたＥＬ素子に対する電荷の充電作用が促進されるように作用するので、前記した陰極線の配線抵抗による充電動作の不十分な問題をこれによりカバーすることができる。また、図７に示した構成によると、前記したようにディマー情報に応じてリセット電圧源ＶＡＬの出力電圧値を可変するようにしているので、ディマーの設定変更に合わせて最適な電圧値を設定することが出来るようになり、ディマー設定が変更された場合にも輝度傾斜を効果的に抑制することが出来る。
【００９１】
図９は、この発明にかかる表示装置および駆動回路おける第４の実施の形態を示したものである。これは図７に示した例と同様にリセット動作を伴う逆バイアス電圧ＶＭを利用した素子への充電動作が実行される表示装置に関するものであり、特に陽極線の数が多い表示装置に対して好適に採用し得るものである。
【００９２】
この図９に示す基本構成は、すでに説明した図７に示した構成と同様であり、各部の符号は適宜省略して示している。この図９に示す例においては、陰極線の配線抵抗の影響を少なくするために陰極線走査回路を各陰極線の両端に配置した構成にされている。すなわち、陰極線走査回路は符号３Ａおよび３Ｂで示しており、この両者は共に同期して走査動作を実行するように構成されている。
【００９３】
これに加えて、定電圧供給手段を構成するリセット電圧源ＶＡＬからの出力は、陽極線駆動回路２における中央部において供給され、その中央部から左右にそれぞれ直列接続された分圧抵抗の各接続部より分圧出力を得るようにしている。したがって、図９に示した構成によると、表示パネル１の中央部に配置された陽極線に印加されるリセット電圧値が高く設定され、左右の陰極線走査回路３Ａ，３Ｂに近くなるにしたがって、陽極線に印加されるリセット電圧値は順次低くなるように設定される。
【００９４】
図９に示したように各陰極線の両端に陰極線走査回路３Ａ，３Ｂを配置した構成によると、陰極線の配線抵抗に起因してリセット動作後の逆バイアス電圧ＶＭによる充電動作はパネル１の中央部付近において不十分となり、これによりパネル１の中央部付近において暗く、また左右の陰極線走査回路側において明るく発光する輝度傾斜が発生する。
【００９５】
図９に示した構成によると、前記した陰極線の配線抵抗に起因する輝度傾斜の発生を効果的に抑制することができる。また、定電圧供給手段を構成するリセット電圧源ＶＡＬの出力電圧値を、図７に示した例と同様にディマー情報に応じて可変するように構成することで、ディマーの設定変更に合わせて最適な電圧値を設定することが出来るようになり、ディマー設定が変更された場合にも輝度傾斜を効果的に抑制することが出来る。
【図面の簡単な説明】
【００９６】
【図１】従来の表示装置の一例を示した回路構成図である。
【図２】図１に示す表示装置においてなされるリセット動作を説明する等価回路図である。
【図３】従来の表示装置の点灯駆動動作を説明するタイミングチャートである。
【図４】この発明にかかる表示装置の第１の実施の形態を示した回路構成図である。
【図５】図４に示す表示装置の点灯駆動動作を説明するタイミングチャートである。
【図６】この発明にかかる表示装置の第２の実施の形態を示した回路構成図である。
【図７】この発明にかかる表示装置の第３の実施の形態を示した回路構成図である。
【図８】図７に示す表示装置の点灯駆動動作を説明するタイミングチャートである。
【図９】この発明にかかる表示装置の第４の実施の形態を示した回路構成図である。
【符号の説明】
【００９７】
１              表示パネル
２              陽極線駆動回路（駆動回路）
３              陰極線走査回路
Ａ１〜Ａｍ      陽極線
Ｅ１１〜Ｅｍｎ  表示素子（有機ＥＬ素子）
Ｉ１〜Ｉｍ      定電流源
Ｋ１〜Ｋｎ      陰極線
Ｑ１〜Ｑｍ      アナログスイッチ
Ｑ１ａ〜Ｑｍａ  アナログスイッチ（第１群）
Ｑ１ｂ〜Ｑｍｂ  アナログスイッチ（第２群）
Ｒ１〜Ｒｍ      抵抗素子
ＶＡＨ          駆動電圧源
ＶＡＭ          プリチャージ電圧源
ＶＡＬ          リセット電圧源
ＶＭ            逆バイアス電圧源
ｔ１〜ｔｍ      陽極出力端子
【図１】
2008233717.tif 000003
【図２】
2008233717.tif 000004
【図３】
2008233717.tif 000005
【図４】
2008233717.tif 000006
【図５】
2008233717.tif 000007
【図６】
2008233717.tif 000008
【図７】
2008233717.tif 000009
【図８】
2008233717.tif 000010
【図９】
2008233717.tif 000011